(57)【要約】【課題】本発明は、比較的安価で狭視野なテレセントリックレンズなどの光学系レンズを使用して高精度、かつ全体を見渡した測定を行うことが可能となる測定顕微鏡に関するものである。【解決手段】本発明は、ステージ１上に載置された被検物Ｂを撮影するために光学系レンズ５を装着した被検物撮影カメラ２と、前記被検物Ｂ周辺を含んで撮影する周辺撮影カメラ４とを設置し、前記周辺撮影カメラ４で撮影した映像内に前記被検物撮影カメラ２で撮影した映像を出力した測定顕微鏡Ａである。【選択図】  図１
2011138096.tif 000002
【特許請求の範囲】
【請求項１】
入力される移動指令に基づき直交する２方向に移動させるステージ駆動部を有するステージと、前記ステージ上に載置された被検物の全体または一部を撮影するために光学系レンズを装着した被検物撮影カメラと、前記被検物撮影カメラで撮影した画像から被検物の輪郭形状を測定するためのプログラムを有する情報処理装置に接続可能な画像測定機であって、前記被検物撮影カメラと隣接する位置に前記被検物周辺を含んで撮影する周辺撮影カメラを設置し、前記周辺撮影カメラで撮影した映像内に前記被検物撮影カメラで撮影した映像を出力したことを特徴とする測定顕微鏡。
【請求項２】
入力される移動指令に基づき直交する２方向に移動させるステージ駆動部を有するステージと、前記ステージ上に載置された被検物の全体または一部を撮影するために光学系レンズを装着した被検物撮影カメラと、前記被検物撮影カメラで撮影した画像から被検物の輪郭形状を測定するためのプログラムを有する情報処理装置に接続可能な画像測定機であって、前記被検物撮影カメラと近傍する位置に前記被検物周辺を含んで撮影する周辺撮影カメラを設置するとともに、前記周辺撮影カメラと同じ光軸内にビームスプリッタを設置し、前記周辺撮影カメラで撮影した映像内に前記被検物撮影カメラで撮影した映像を出力したことを特徴とする測定顕微鏡。
【請求項３】
ステージ駆動部によりステージを移動させて前記被検物撮影カメラでステージの範囲を均等に移動しながらステージ全体を細かく撮影した画像において、前記画像毎にステージの撮影位置を把握するための数値を割りふり、前記画像同士を結合した状態で前記画像内の指定したドット位置を原点とし、次の指定したドット位置の距離を算出することを特徴とする請求項１または請求項２に記載の測定顕微鏡。
【請求項４】
周辺撮影カメラで撮影した被検物が写し出された画像の中の前記被検物とステージの色調明度差を読み取って前記被検物の設置場所を認識し、前記被検物撮影カメラの撮影場所をステージ駆動部によりステージを移動させて前記被検物を前記被検物撮影カメラで真上から撮影したことを特徴とする請求項１または請求項３のいずれか１項に記載の測定顕微鏡。
【請求項５】
前記被検物撮影カメラで撮影した被検物の画像は、前記光学レンズの視野範囲より中心に向って内側の範囲に写し出される画像を使用することを特徴とする請求項１乃至請求項４のいずれか１項に記載の測定顕微鏡。
【請求項６】
本発明は、ステージを可動させながら前記被検物撮影カメラで順次撮影を実施していくステージの可動スピードとモニタなどに写し出される周辺撮影カメラや被検物撮影カメラの撮影前の映像や周辺撮影カメラ及び被検物撮影カメラで映し出される画像を同スピードで動かしながら、ステージの可動方向とモニタなどに写し出される周辺撮影カメラや被検物撮影カメラの撮影前の映像や周辺撮影カメラ及び前記被検物撮影カメラの可動方向とを同方向に動かすことにより、モニタなどに写し出される映像や撮影した画像を静止しているかのようにモニタ上で表示させることを特徴とする請求項１乃至請求項５のいずれか１項に記載の測定顕微鏡。
【請求項７】
前記合成画像を正確な座標位置を把握したまま、前記合成画像の拡大や縮小並びに移動や回転の操作を自在にしたことを特徴とする請求項１乃至請求項６のいずれか１項に記載の測定顕微鏡。
【請求項８】
前記合成画像の中から前記被検物の画像を識別し、前記被検物の形状を自動測定する機能を備えたことを特徴とする請求項１乃至請求項７のいずれか１項に記載の測定顕微鏡。
【請求項９】
明度となるＬ値を変化する処理を前記合成画像に施すことで、前記被検物の形状のエッジを強調させたことを特徴とする請求項１乃至請求項８のいずれか１項に記載の測定顕微鏡。
【請求項１０】
前記被検物の形状をトレースしＤＸＦ形式で書き出しできることを特徴とする請求項１乃至請求項９のいずれか１項に記載の測定顕微鏡。
【請求項１１】
ＤＸＦ形式のデータをコンピュータに読み込んで、前記被検物の画像と透過させ差異の確認ができることを特徴とする請求項１乃至請求項１０のいずれか１項に記載の測定顕微鏡。
【請求項１２】
前記周辺撮影カメラが４８万画素以上の画素数をもつカメラであることを特徴とする請求項１乃至請求項１１のいずれか１項に記載の測定顕微鏡。
【請求項１３】
前記被検物撮影カメラが４８万画素以上の画素数をもつカメラであることを特徴とする請求項１乃至請求項１２のいずれか１項に記載の測定顕微鏡。
【請求項１４】
幅３００ｍｍ×高さ３００ｍｍ以下の被検物を測定することを特徴とする請求項１乃至請求項１３のいずれか１項に記載の測定顕微鏡。
【請求項１５】
前記光学系レンズがテレセントリックレンズであることを特徴とする請求項１乃至請求項１４のいずれか１項に記載の測定顕微鏡。
【請求項１６】
前記ビームスプリッタがハーフミラーであることを特徴とする請求項２乃至請求項１５のいずれか１項に記載の測定顕微鏡。
【請求項１７】
ＸＹＺの動きを自動化させることで前記被検物の撮影焦点を自動フォーカスにしたことを特徴とする請求項１乃至請求項１６のいずれか１項に記載の測定顕微鏡。
【発明の詳細な説明】
【技術分野】
【０００１】
本発明は、被検物の輪郭形状の測定ならびに指定する箇所の測定を行う測定顕微鏡に関するものである。
【背景技術】
【０００２】
被検物の輪郭形状の測定を行う画像測定機として、特許文献１に記載の入力される移動指令に基づき２方向に移動させるステージ駆動手段と、前記ステージの座標を検出し出力するステージ座標検出手段と、エッジ検出領域を移動させる検出領域移動部と、前記ステージ駆動手段及び前記検出領域移動部に移動指令を出力する制御手段を備えた画像測定機が発案されている。
【０００３】
また、測定の精度を高めることが課題として、広い視野、即ち低い倍率であること、高い分解能、即ち高い倍率であることが望まれる課題を解決したものとして、特許文献２に記載の対象レンズと、前記対象レンズからの光束を分岐する光分岐手段と、前記光分岐手段で分岐した一方の光束を高倍率側で変倍する第１の光学系と、前記光分岐手段で分岐した他方の光束を低倍率側で変倍する第２の光学系とを有する画像検査・測定装置が発案されている。
【先行技術文献】
【特許文献】
【０００４】
【特許文献１】特開平９−１８９５１２号公報
【特許文献２】特開平１１−１８３１２４号公報
【発明の概要】
【発明が解決しようとする課題】
【０００５】
特許文献１に記載のような被検物の輪郭形状の測定を行う画像測定機や測定顕微鏡は、測定の精度を高めることが課題としてある。測定精度を高めるために測定したい被検物の測定対象箇所をズームレンズなどを使用して、ズームアップさせた状態で表示させるなど狭い視野内において測定するのが一般的であるが、この場合、測定精度は向上するものの、被検物の一部しか観察することができず全体のどの部分を測定しているのかが分かりにくい状態である。また、ステージ駆動手段を用いてＸ−Ｙステージを使用した場合、その可動範囲が広いにもかかわらず、測定対象物である被検物の測定対象箇所がズームされた状態のままになってしまうのでズームレンズの視野が狭いため、複数の被検物をステージに並べて順次測定していく場合、どの被検物を測定しているか分からなくなる問題がある。
【０００６】
そこで、ズーム光学系の柔軟性を生かしたまま、かつ大きな変倍比を得ることができるものとして、特許文献２に記載の画像検査・測定装置が発案されているが、こちらは、低倍率側のズーム光学系レンズと高倍率側のズーム光学系レンズを適宜選択することで、全体で０．５〜５０倍の変倍範囲とするものであるが、特許文献１と同様に測定対象物である被検物の測定対象箇所がズームアップされればされるほど、被検物のピンポイントは拡大表示されてズームレンズの視野が狭くなってしまい、全体のどの部分を測定しているのかが分かりにくい状態になるのは特許文献２の場合でも同様である。
【０００７】
また、それらの問題を解決すべく案として、測定の精度を上げるためにカメラの画素数を高くする方法が考えられるが、画素数を上げると価格も上がり、転送速度が落ちるため画像更新速度が落ち、使いづらい問題が発生してしまう。更に、別の解決案としてテレセントリックレンズなどの高精度な光学系レンズを使用して画像の歪、および深度に対する画像の寸法変化を抑えるなどの方法があるが、広視野のテレセントリックレンズは累乗的に価格が上がり、重量や大きさも大きくなるため、高価で大掛かりな装置になってしまう問題がある。また、低視野のテレセントリックレンズにすると、価格は抑えることはできるが、その分視野が狭く被検物の全体が把握できない不具合が発生してしまう問題がある。
【０００８】
本発明の目的は、上記課題を解決し、比較的安価で狭視野なテレセントリックレンズなどの光学系レンズを使用して高精度、かつ全体を見渡した測定を行うことが可能となる測定顕微鏡を提供することである。
【課題を解決するための手段】
【０００９】
本発明は、入力される移動指令に基づき直交する２方向に移動させるステージ駆動部を有するステージと、前記ステージ上に載置された被検物の全体または一部を撮影するために光学系レンズを装着した被検物撮影カメラと、前記被検物撮影カメラで撮影した画像から被検物の輪郭形状を測定するためのプログラムを有する情報処理装置に接続可能な画像測定機であって、前記被検物撮影カメラと隣接する位置に前記被検物周辺を含んで撮影する周辺撮影カメラを設置し、前記周辺撮影カメラで撮影した映像内に前記被検物撮影カメラで撮影した映像を出力した測定顕微鏡である。
【００１０】
本発明は、入力される移動指令に基づき直交する２方向に移動させるステージ駆動部を有するステージと、前記ステージ上に載置された被検物の全体または一部を撮影するために光学系レンズを装着した被検物撮影カメラと、前記被検物撮影カメラで撮影した画像から被検物の輪郭形状を測定するためのプログラムを有する情報処理装置に接続可能な画像測定機であって、前記被検物撮影カメラと近傍する位置に前記被検物周辺を含んで撮影する周辺撮影カメラを設置するとともに、前記周辺撮影カメラと同じ光軸内にビームスプリッタを設置し、前記周辺撮影カメラで撮影した映像内に前記被検物撮影カメラで撮影した映像を出力した測定顕微鏡である。
【００１１】
本発明は、ステージ駆動部によりステージを移動させて前記被検物撮影カメラでステージの範囲を均等に移動しながらステージ全体を細かく撮影した画像において、前記画像毎にステージの撮影位置を把握するための数値を割りふり、前記画像同士を結合した状態で前記画像内の指定したドット位置を原点とし、次の指定したドット位置の距離を算出する測定顕微鏡である。
【００１２】
本発明は、周辺撮影カメラで撮影した被検物が写し出された画像の中の前記被検物とステージの色調明度差を読み取って前記被検物の設置場所を認識し、前記被検物撮影カメラの撮影場所をステージ駆動部によりステージを移動させて前記被検物を前記被検物撮影カメラで真上から撮影した測定顕微鏡である。
【００１３】
本発明は、前記被検物撮影カメラで撮影した被検物の画像は、前記光学レンズの視野範囲より中心に向って内側の範囲に写し出される画像を使用する測定顕微鏡である。
【００１４】
本発明は、ステージを可動させながら前記被検物撮影カメラで順次撮影を実施していくステージの可動スピードとモニタなどに写し出される周辺撮影カメラや被検物撮影カメラの撮影前の映像や周辺撮影カメラ及び被検物撮影カメラで映し出される画像を同スピードで動かしながら、ステージの可動方向とモニタなどに写し出される周辺撮影カメラや被検物撮影カメラの撮影前の映像や周辺撮影カメラ及び前記被検物撮影カメラの可動方向とを同方向に動かすことにより、モニタなどに写し出される映像や撮影した画像を静止しているかのようにモニタ上で表示させる測定顕微鏡である。
【００１５】
本発明は、前記合成画像を正確な座標位置を把握したまま、前記合成画像の拡大や縮小並びに移動や回転の操作を自在にした測定顕微鏡である。
【００１６】
本発明は、前記合成画像の中から前記被検物の画像を識別し、前記被検物の形状を自動測定する機能を備えた測定顕微鏡である。
【００１７】
本発明は、明度となるＬ値を変化する処理を前記合成画像に施すことで、前記被検物の形状のエッジを強調させた測定顕微鏡である。
【００１８】
本発明は、前記被検物の形状をトレースしＤＸＦ形式で書き出しできる測定顕微鏡である。
【００１９】
本発明は、ＤＸＦ形式のデータをコンピュータに読み込んで、前記被検物の画像と透過させ差異の確認ができる測定顕微鏡である。
【００２０】
本発明は、前記周辺撮影カメラが４８万画素以上の画素数をもつカメラである測定顕微鏡である。
【００２１】
本発明は、前記被検物撮影カメラが４８万画素以上の画素数をもつカメラである測定顕微鏡である。
【００２２】
本発明は、幅３００ｍｍ×高さ３００ｍｍ以下の被検物を測定する測定顕微鏡である。
【００２３】
本発明は、前記光学系レンズがテレセントリックレンズである測定顕微鏡である。
【００２４】
本発明は、前記ビームスプリッタがハーフミラーである測定顕微鏡である。
【００２５】
本発明は、ＸＹＺの動きを自動化させることで前記被検物の撮影焦点を自動フォーカスにした測定顕微鏡である。
【発明の効果】
【００２６】
本発明は、入力される移動指令に基づき直交する２方向に移動させるステージ駆動部を有するステージと、前記ステージ上に載置された被検物の全体または一部を撮影するために光学系レンズを装着した被検物撮影カメラと、前記被検物撮影カメラで撮影した画像から被検物の輪郭形状を測定するためのプログラムを有する情報処理装置に接続可能な画像測定機であって、前記被検物撮影カメラと隣接する位置に前記被検物周辺を含んで撮影する周辺撮影カメラを設置し、前記周辺撮影カメラで撮影した映像内に前記被検物撮影カメラで撮影した映像を出力した測定顕微鏡であるので、測定の精度を高く維持したまま、広範囲を観察できるようにした周辺観察カメラとピンポイントを高性能で観察できるようにした被検物カメラを設置することで、双方の映像を合成することにより、高精度と広視野という両特徴を併せ持った測定顕微鏡を提供することができる。
【００２７】
また、本発明は、入力される移動指令に基づき直交する２方向に移動させるステージ駆動部を有するステージと、前記ステージ上に載置された被検物の全体または一部を撮影するために光学系レンズを装着した被検物撮影カメラと、前記被検物撮影カメラで撮影した画像から被検物の輪郭形状を測定するためのプログラムを有する情報処理装置に接続可能な画像測定機であって、前記被検物撮影カメラと近傍する位置に前記被検物周辺を含んで撮影する周辺撮影カメラを設置するとともに、前記周辺撮影カメラと同じ光軸内にビームスプリッタを設置し、前記周辺撮影カメラで撮影した映像内に前記被検物撮影カメラで撮影した映像を出力した測定顕微鏡であるので、測定の精度を高く維持したまま、広範囲を観察できるようにした周辺観察カメラとピンポイントを高性能で観察できるようにした被検物カメラを設置することで、双方の映像を合成することにより、高精度と広視野という両特徴を併せ持った測定顕微鏡を提供することができる。
【００２８】
更に、本発明は、ステージ駆動部によりステージを移動させて前記被検物撮影カメラでステージの範囲を均等に移動しながらステージ全体を細かく撮影した画像において、前記画像毎にステージの撮影位置を把握するための数値を割りふり、前記画像同士を結合した状態で前記画像内の指定したドット位置を原点とし、次の指定したドット位置の距離を算出する測定顕微鏡であるので、撮影した画像に写し出される前記被検物の外径寸法や内径寸法を測定したい時は、前記被検物が写った画像をマウス等でクリックし位置指定していくことで、容易に形状測定が出来てしまう測定顕微鏡を提供することができる。
【００２９】
更に、本発明は、周辺撮影カメラで撮影した被検物が写し出された画像の中の前記被検物とステージの色調明度差を読み取って前記被検物の設置場所を認識し、前記被検物撮影カメラの撮影場所をステージ駆動部によりステージを移動させて前記被検物を前記被検物撮影カメラで真上から撮影した測定顕微鏡であるので、前記被検物の２次元形状を正確に画像として取り込むことができる測定顕微鏡を提供することができる。
【００３０】
更に、本発明は、前記被検物撮影カメラで撮影した被検物の画像は、前記光学レンズの視野範囲より中心に向って内側の範囲に写し出される画像を使用する測定顕微鏡であるので、テレセントリックレンズなどを利用して高画質な画像を撮影する場合、画像の中心から外方向に向うにつれて歪曲が強く出てしまうため、歪曲になっていない画像の中心から歪曲が目立たない位置までの画像を使用することで、撮影した画像から正確な形状測定ができる測定顕微鏡を提供することができる。
【００３１】
更に、本発明は、ステージを可動させながら前記被検物撮影カメラで順次撮影を実施していくステージの可動スピードとモニタなどに写し出される周辺撮影カメラや被検物撮影カメラの撮影前の映像や周辺撮影カメラ及び被検物撮影カメラで映し出される画像を同スピードで動かしながら、ステージの可動方向とモニタなどに写し出される周辺撮影カメラや被検物撮影カメラの撮影前の映像や周辺撮影カメラ及び前記被検物撮影カメラの可動方向とを同方向に動かすことにより、モニタなどに写し出される映像や撮影した画像を静止しているかのようにモニタ上で表示させる測定顕微鏡であるので、前記被検物を順次認識して前記被検物撮影カメラで順次撮影を行いながら隣接した画像の合成処理を行うなどステージが可動している最中でも、先に撮影が終わった前記被検物が写った画像が静止された状態でモニタ上でみることができるので、撮影が終わった前記被検物が写った画像を、画像の撮影がすべて撮り終わらないうちにでも、拡大や縮小、移動などの操作を行いながら測定作業を開始できる測定顕微鏡を提供することができる。
【００３２】
また、本発明は、前記合成画像を正確な座標位置を把握したまま、前記合成画像の拡大や縮小並びに移動や回転の操作を自在にした測定顕微鏡であるので、ＸＹ座標の概念にとらわれず、１つの画像内で測定したい箇所をマウスや画面上に設置したカーソルポイントなどを利用して、自在に画像の拡大や縮小、ドラック＆ドロップなどの操作で移動させたり見やすい方向に回転させるなど操作が簡単な上、画像の拡大、縮小、回転、移動などの操作後であっても、その状態のままで正確な形状寸法の測定を行うことができる測定顕微鏡を提供することができる。
【００３３】
更に、本発明は、前記合成画像の中から前記被検物の画像を識別し、前記被検物の形状を自動測定する機能を備えた測定顕微鏡であるので、形状測定に慣れていない人など、誰でもが簡単に測定操作が出来てしまう測定顕微鏡を提供することができる。
【００３４】
また、本発明は、明度となるＬ値を変化する処理を前記合成画像に施すことで、前記被検物の形状のエッジを強調させた測定顕微鏡であるので、エッジの強調処理で前記被検物の形状がより強調され、正確な寸法測定を実施することができる測定顕微鏡を提供することができる。
【００３５】
更に、本発明は、前記被検物の形状をトレースしＤＸＦ形式で書き出しできる測定顕微鏡であるので、製品の形状を設計するために使用するＣＡＤソフトなどで、ＤＸＦ形式で読み込み可能なソフトを使用すれば、形状をトレースしたデータを製品設計に活用することができる測定顕微鏡を提供することができる。
【００３６】
また、本発明は、ＤＸＦ形式のデータをコンピュータに読み込んで、前記被検物の画像と透過させ差異の確認ができる測定顕微鏡であるので、製品の形状設計などをＤＸＦ形式で書き出しできるＣＡＤソフトなどを使用して行ったデータを、本発明の測定顕微鏡に使用される前記情報処理装置に読み込み、各々の画像を透過させることで、形状の違いを判別することができるので、例えば、形状による不具合品を写し出される映像と比較して判定することも可能な測定顕微鏡を提供することができる。
【００３７】
更に、本発明は、前記周辺撮影カメラが４８万画素以上の画素数をもつカメラを使用した測定顕微鏡であるので、被検物を含む周辺視野が判別可能な映像を映し出すことができる測定顕微鏡を提供することができる。
【００３８】
また、本発明は、前記被検物撮影カメラが４８万画素以上の画素数をもつカメラを使用した測定顕微鏡であるので、被検物全体や被検物の一部分をピンポイントとして撮影し、映像にして映し出すことができる測定顕微鏡を提供することができる。
【００３９】
更に、本発明は、前記周辺撮影カメラでステージ上に載置した被検物の有無を把握し、前記被検物の位置へ自動で移動を行い自動測定する機能を備えた測定顕微鏡であるので、
測定作業をラクにし、誰が使っても測定誤差が発生しにくい測定顕微鏡を提供することができる。
【００４０】
また、本発明は、幅３００ｍｍ×高さ３００ｍｍ以下の被検物を測定する測定顕微鏡であるので、比較的大きな被検物であっても、測定することができる測定顕微鏡を提供することができる。
【００４１】
更に、本発明は、前記光学系レンズがテレセントリックレンズを使用した測定顕微鏡であるので、被検物のピンポイントをより高性能で観察できるようにした測定顕微鏡を提供することができる。
【００４２】
また、本発明は、前記ビームスプリッタがハーフミラーを使用した測定顕微鏡であるので、測定の精度を高く維持したまま、広範囲を観察できるようにした周辺観察カメラとピンポイントを高性能で観察できるようにした被検物カメラを設置することで、双方の映像を合成することにより、高精度と広視野という両特徴を併せ持った測定顕微鏡を提供することができる。
【００４３】
更に、本発明は、ＸＹＺの動きを自動化させることで前記被検物の撮影焦点を自動フォーカスにした測定顕微鏡であるので、撮影する被検物の焦点が合っているかいないかを気にせず、同じ精度の画像を取り込むことができる操作性に優れた測定顕微鏡を提供することができる。
【図面の簡単な説明】
【００４４】
【図１】本発明の実施形態１を示す概略構成図である。
【図２】図１の概略構成を示すブロック図である。
【図３】図１に示す被検物撮影カメラと周辺撮影カメラの視野範囲を表した概略構成図である。
【図４】図３に示す周辺撮影カメラの異なる設置角度を表した概略構成図である。
【図５】図１に示す視野範囲をもとにモニタへ映し出した状態のイメージ図である。
【図６】本発明の異なる実施形態を示す概略構成図である。
【図７】図６に示す被検物撮影カメラと周辺撮影カメラの視野範囲を現した概略構成図である。
【図８】被検物を認識して被検物撮影カメラで順次自動撮影する手順１を示したイメージ図である。
【図９】図８に示す手順２を示したイメージ図である。
【図１０】被検物撮影カメラで撮影した場合の撮影範囲内に写し出される歪曲を示すイメージ図である。
【図１１】図１０に示す撮影範囲から歪曲がない範囲を示したイメージ図である。
【図１２】図８の異なる被検物を認識して被検物撮影カメラで順次自動撮影する手順１を示したイメージ図である。
【図１３】図１２に示す手順２を示したイメージ図である。
【図１４】図１３の異なる手順２を示したイメージ図である。
【図１５】ステージ全体を沿って被検物撮影カメラで順次自動撮影するイメージ図である。
【図１６】図１５に示すステージの可動に対して、モニタの表示位置例を示すイメージ図である。
【図１７】図１６に示す太破線の箇所がモニタに写し出された状態を示すイメージ図である。
【発明を実施するための形態】
【００４５】
図１乃至図５に示すように、本発明の測定顕微鏡Ａは入力される移動指令に基づき直交するＸＹ方向の２方向に移動させるステージ駆動部１ａにより可動が制御されるステージ１を有している。ＸＹ方向とは、ステージ１が左右水平方向へ稼働することをＸ方向Ｘといい、ステージ１が上下方向へ稼働することをＹ方向Ｙという。また、前記ステージ１上に載置された被検物Ｂの全体または一部を撮影できる高さへ被検物撮影カメラ２を設置し、前記被検物撮影カメラ２のレンズ装着部２ａの上から被せるようにテレセントリックレンズなどの光学系レンズ５を装着する。前記被検物撮影カメラ２は４８万画素以上の画素数をもつカメラを使用するのが望ましい。更に、前記被検物撮影カメラ２と隣接する位置に前記被検物Ｂ周辺を含んで撮影する周辺撮影カメラ４の設置を行う。前記周辺撮影カメラ４の光軸２ｂの角度４５度の範囲内に被検物Ｂの撮影ポイントを含むようにすればよい。
【００４６】
例えば、図３に示すように前記周辺撮影カメラ４が被検物Ｂ方向へ設置角度を傾けずに前記周辺撮影カメラ４の光軸４ｂの角度４５度の範囲内に被検物Ｂの撮影ポイントがあれば、設置角度をつけずに、前記被検物撮影カメラ２の焦点が前記被検物Ｂと合致する光軸２ｂと前記周辺撮影カメラ４の焦点が前記被検物Ｂと合致する光軸４ａが並行になるように前記周辺撮影カメラ４を横並びに設置してもよく、撮影する範囲が狭くなるようであれば、図４に示すように、前記被検物Ｂの測定したい部分に撮影ポイントを合わせ、前記被検物撮影カメラ２の焦点が前記被検物Ｂと合致する光軸２ｂと前記周辺撮影カメラ４の焦点が前記被検物Ｂと合致する光軸４ａが交差する交点９の角度が４５度以内に入るように前記被検物Ｂとその周辺が映し出される角度を見つけて設定を行うとよい。光軸２ｂ、４ａとは、レンズの中心を通る線のことをいう。
【００４７】
図１及び図２に示すように、前記被検物撮影カメラ２は昇降機７などに固定し、前記被検物撮影カメラ２を昇降させても、ぶれないように固定させる。高さのある被検物Ｂを測定する場合、昇降機７に設置されたテレセントリックレンズなどの光学系レンズ５を装着した前記被検物撮影カメラ２と被検物Ｂがぶつからない高さへ上昇させることができる。また、昇降機７の昇降する作業は、手動で回しながら上げたり下げたりするのもよく、コンピュータ３による制御により、被検物Ｂの高さを察しして上昇や下降動作となるＺ方向Ｚへ自動で適正な高さに設定できる方法でもよい。更に前記周辺撮影カメラ４はテレセントリックレンズなどの光学系レンズ５を装着した前記被検物撮影カメラ２に固定するのもよく、昇降機７に前記被検物撮影カメラ２と一緒に固定するのでもよい。
【００４８】
また、本発明の測定顕微鏡Ａは全体像撮影する周辺撮影カメラ４や光学系レンズ５を装着した被検物像撮影する前記被検物撮影カメラ２で撮影した映像をパソコンなどのコンピュータ３へ送信することで、被検物Ｂの位置を解析し、エッジを検出し、寸法を測定するなどのプログラムやその結果をパソコンなどのコンピュータ３のモニタ６へ表示したり、モニタ６で表示された被検物Ｂの映像をマウスやタッチパネルなどの入力手段で移動位置指令をすることでステージ１がＸＹ方向で自動に稼働したり、昇降機７が自動で昇降稼働できるプログラムなど、これらのプログラムをパソコンなどのコンピュータ３へ組み込んでおくことで、ＵＳＢなどの接続手段を用いて本発明の測定顕微鏡Ａを直接パソコンなどのコンピュータ３へ接続するだけで使用できるものとなる。
【００４９】
本発明の測定顕微鏡Ａは測定の精度を高く維持するために、被検物Ｂをピンポイントで撮影できるようにするため、テレセントリックレンズなどの光学系レンズ５を装着した被検物撮影カメラ２を使用する。また、広範囲を撮影できるようにするため周辺撮影カメラ４と被検物撮影カメラ２を並行して２台以上設置し撮影を実施する。この状態で複数の映像を撮影することで、図５に示すように周辺撮影カメラ４で撮影した４８万画素ぐらいの比較的低画質で撮影した被検物Ｂｂとその周辺を映し出した映像の撮影範囲４ｂの中央付近に、被検物撮影カメラ２で撮影した高画質で撮影した被検物Ｂａが映った映像の撮影範囲２ｃが合成された状態で映し出されようになる。
【００５０】
また、前記周辺撮影カメラ４で撮影した映像と被検物撮影カメラ２で撮影した映像を合成する場合、２つ以上の異なるカメラを同位置に設置して撮影することはできないため、その撮影場所の位置相違により双方の映像にズレが生じてしまうが、合成による映像のズレについては、パソコンなどのコンピュータ３によりソフト上で補正をかける手段を行うことでズレを解消することができる。更に、図３に示すように周辺撮影カメラ４で撮影した映像で、ステージ１上以外で映し出される周りの映像については、パソコンなどのコンピュータ３によりソフト上で補正をかける手段を行うことで不要に映っている部分はカットした状態で映像の合成をかけることができる。よって、前記被検物Ｂの寸法を測定したい個所を被検物撮影カメラ２で撮影することで、高画質で撮影した被検物Ｂｂを映し出すことができ、正確な測定位置を指定することができる。また、それ以外の被検物Ｂ部分は、前記周辺撮影カメラ４で映し出された映像を映し出すことになるので、４８万画素ぐらいの比較的低画質で撮影した被検物Ｂａを映し出すことができるので、例えば、前記被検物Ｂを複数個ステージ１の上に並べてマウスなどで選択したものを順次測定していく場合、どの被検物Ｂを測定しているか分からなくなる問題がなくなる。更に、被検物Ｂの測定対象箇所がズームアップされればされるほど、被検物Ｂのピンポイントは拡大表示されてズームレンズの視野が狭くなってしまうが、周辺撮影カメラ４により周りも映し出されているため、全体のどの部分を測定しているのかもひと目で把握することができる。よって、高精度と広視野という両特徴を併せ持った測定顕微鏡Ａを提供することができる。
【００５１】
次に、本発明の異なる実施形態を図６及び図７に示す。図６及び図７に示すように、テレセントリックレンズなどの光学系レンズ５を装着した前記被検物撮影カメラ２の下端に、外光を遮断するためのレンズボックス８を装着し、前記レンズボックス８の側面の一方向を開口し、前記開口した箇所へ周辺撮影カメラ４の装着を行う。また、前記レンズボックス８内には、前記周辺撮影カメラ４の撮影レンズ４ｃに対して、前記周辺撮影カメラ４と同じ光軸４ａ内であって、前記光軸４ａが被検物Ｂ方向へ反射および屈折するようにハーフミラーなどのビームスプリッタ８ａの設置を行うことで、図７に示すように前記周辺撮影カメラ４で被検物Ｂを撮影する場合、前記周辺撮影カメラ４から撮影される光軸４ａと撮影範囲４ｂはハーフミラーなどのビームスプリッタ８ａにあたり反射および屈折することで、被検物Ｂとその周辺を映し出すことができるものとなる。
【００５２】
被検物撮影カメラ２と周辺撮影カメラ４については、４８万画質以上の安価なＣＭＯＳカメラまたはＣＣＤカメラなどを使用し、その内の１台へ視野サイズが縦９．４ｍｍ×横１２．５ｍｍ以上で比較的安価なテレセントリックレンズなどの光学系レンズ５を装着することで、従来の画像測定機や測定顕微鏡のような高価な装置が、より安価で提供できるとともに、従来品より使いやすい測定顕微鏡Ａを提供することができる。
【００５３】
また、本発明の測定顕微鏡Ａは図１及び図２に示すように、ステージ駆動部１ａによりステージ１をＸＹ方向へ移動させて前記被検物撮影カメラ２でステージ１の範囲を均等に移動しながらステージ１全体を細かく撮影していくことができる。更に、本発明の測定顕微鏡Ａの前記被検物撮影カメラ２に用いられるテレセントリックレンズの表示できる範囲を３２ｍｍ×２４ｍｍのものにした場合、テレセントリックレンズの特性上、表示ポイントの中心から外側に離れていくにつれて写し出される映像が図１０に示すように円曲形状に歪んでしてしまう現状が発生してしまう。前記被検物撮影カメラ２を用いて撮影される高画質で撮影した被検物Ｂａが写し出された画像データが円曲に歪んでしまう画像データを使用すると、指定する測定位置がずれている状態で指定してしまうことになるので、正確な測定ができない。そこで、例えば、テレセントリックレンズの表示できる範囲を３２ｍｍ×２４ｍｍのものを使用する場合、図１１に示すようにレンズによる歪の発生が起こっていない前記テレセントリックレンズの視野範囲より中心に向って内側であり、前記視野範囲の中心位置を中心点として周囲１６ｍｍ×１２ｍｍの図１３の太線の破線範囲に示す歪曲がない範囲２ｄの画像データを高画質で撮影した被検物Ｂａを写し出す範囲として使用することで、正確な測定を行う測定顕微鏡Ａを提供することができる。尚、レンズの歪を補正するプログラムを処理部に組み込むことで、歪の解消を行っても良い。
【００５４】
例えば図８に示すように、まず、ステージ１の左上の端から順次自動撮影を実施していくため、ステージ１がＸＹ方向へ可動して前記被検物撮影カメラ２の撮影レンズが図８に示す撮影範囲２ｃ１内の歪曲がない範囲２ｄ１で停止し撮影を実施する。次に図９に示すように撮影範囲２ｃ内の歪曲がない範囲２ｄ２で停止して自動撮影が行われ、その後順次、均等間隔にＸ方向へ可動をし、歪曲がない範囲２ｄ３、歪曲がない範囲２ｄ４、歪曲がない範囲２ｄ５、歪曲がない範囲２ｄ６と撮影が行われる。次に、下の段となる歪曲がない範囲２ｄ７へＸＹ方向にステージ１が可動しながら再び順次、均等間隔にＸ方向へ可動を行うことで自動撮影を順次実施していくことができる。この際、図９に示すように、撮影範囲２ｃの内側の斜線に示した部分である歪曲がない範囲２ｄを利用して画像の結合が実施できるように、ステージ１を可動させながら自動撮影を実施していくことで、精度の高い画像を取得することができる。また、前記被検物撮影カメラ２で撮影した多数の画像は、前記画像毎にステージ１の撮影位置を把握するための数値が割りふりされる。これは前記画像一枚づつに異なる撮影位置であることを認識させるためが目的である。ステージ１全体を撮影した多数の画像を結合しても、撮影位置の場所情報となる数値は結合する前の情報を把握できているので、前記画像内の指定したドット位置を原点とし、次の指定したドット位置の距離を算出することができる測定顕微鏡Ａを提供することが可能になる。
【００５５】
よって、図９に示すように、歪曲がない範囲２ｄ１と歪曲がない範囲２ｄ７には、被検物Ｂ１つが２枚の画像にまたがって撮影されているが、歪曲がない範囲２ｄ１の撮影位置の場所情報を１−１とした場合、歪曲がない範囲２ｄ７の撮影位置の場所情報は１−７とすることで、撮影した画像は異なる箇所の被検物Ｂを撮影したとコンピュータ３が認識することができる。歪曲がない範囲２ｄ１の画像で指定したドット位置を原点として、次に指定する位置が歪曲がない範囲２ｄ７の画像の距離を算出して前記被検体物Ｂの測定したい箇所の距離を測定することが可能になる。
【００５６】
また、本発明の測定顕微鏡Ａは、図１２または図１３に示すように、周辺撮影カメラ４で撮影した被検物Ｂが写し出された画像の中の前記被検物Ｂとステージ１の色調明度差を読み取って前記被検物Ｂの設置場所を認識し、前記被検物撮影カメラ２の撮影場所をステージ駆動部１ａによりステージ１を移動させて前記被検物Ｂを前記被検物撮影カメラ２で真上から自動撮影していく機能を有している。例えば被検物Ｂが白色である場合、被検物Ｂを置載する前記ステージ１の色目を黒っぽい色目にすることで、周辺撮影カメラ４で前記被検物Ｂを撮影すると、黒っぽい色目のステージ１の撮影範囲４ｂの中に、白色の前記被検物Ｂが写ることになる。一般的に白色に近づくほど明度が高く、黒色に近づくほど明度が低くなるため、前記ステージ１と前記被検物Ｂの色調明度差を数値で読み取って、前記被検物Ｂの画像表示箇所をコンピュータ３が認識し、ステージ駆動部１ａへ移動位置指令を出してステージ１がＸＹ方向へ移動する。
【００５７】
図１２に示すように歪曲がない範囲２ｄ２内に被検物Ｂとステージ１の明度差を感知したステージ駆動部１ａはＸＹ方向に可動して停止し撮影が実施される。次に、図１３に示すように、被検物Ｂとステージ１の明度差を感知した歪曲がない範囲２ｄ３の撮影が行われ、次に歪曲がない範囲２ｄ４の撮影、歪曲がない範囲２ｄ８の撮影と順次自動撮影を行っていく。更に、歪曲がない範囲２ｄ同士で画像を結合していくことで、歪みのない正しく画像を取得することができる。これによって、ステージ１上に被検体物Ｂが置載されていないステージ１部分は、前記被検物撮影カメラ２で撮影が行われず、ステージ１上に被検体物Ｂが置載している箇所を順次自動撮影していくことができるので、撮影する時間を短縮でき、無駄な画像の取り込みをする必要がない測定顕微鏡Ａを提供することができる。
【００５８】
図１４は、図１３に示す撮影の異なる方法であるが、被検物Ｂの外径のみを測定したい場合、前記被検物の外径以外の箇所の撮影は不要であるので、図１４に示すように被検物Ｂの外径から指定した距離内に写し出される画像を撮影しない設定にすることができる。これは、外径より何センチ以内の箇所の撮影範囲２ｃを撮影しないというモードを選択することで実現できる。但し、前記被検物撮影カメラ２で撮影しないだけであり、周辺撮影カメラ４で撮影された低画質で撮影した被検物Ｂｂはモニタ６へは写しだされていることになるので、違和感はない測定顕微鏡Ａを提供することができる。
【００５９】
また、被検物Ｂとステージ１の色と色の境目をコンピュータ３が判定しやすくするために、明度となるＬ値を変化する処理をコンピュータ３が前記合成画像に施すことで、前記被検物Ｂの形状のエッジを強調させることができる。エッジの強調処理で前記被検物Ｂとステージ１の境目や、前記被検物Ｂの外径と内径の境目を強調させることができ、正確な寸法測定を実施することができる測定顕微鏡Ａを提供することができる。これによって、例えば、マウスなどで測定したい箇所近辺をドラッグしながら外側や内側へ移動し離すことで、測定したい位置を、モニタ６に写し出される画面上で的確に指定しなくても、境目のエッジを的確にとらえて、測定をすることができる。色と色の境目を判定しやすくするための処理としては、明度となるＬ値を変化する処理以外に、彩度を変化させる処理やＲＧＢによる色の違いにより色と色の境目を判定する方法をとってもよい。更に、色と色の境目の検出感度をあげるために、黒色は０、白色２５５の０〜２５５の範囲で、エッジ検出感度を高める設定を実施するモードを備えている。これは検体物Ｂまたはステージ１の明度を変化させ境目部分のエッジをより強調させる処理をコンピュータ３の処理部で実施させる機能である。
【００６０】
更に、本発明の測定顕微鏡Ａには、低画質で撮影した被検物Ｂｂが写った画像をマウスなどでクリックすることで、コンピュータ３の処理部がクリック場所を認識し、クリックした中心位置に被検物撮影カメラ２がくるようにステージ１が可動し、ステージ１上に置載した前記被検物Ｂを真上から撮影することが可能であるので、測定したい被検物Ｂが歪曲がない範囲２ｄ内にすべて入っている場合、自動撮影モードを使用せず、撮影したい箇所をマウスなどでクリックして撮影することもできる測定顕微鏡Ａを提供することができる。
【００６１】
また、撮影した合成画像はコンピュータ３の処理部に保存されるので、測定顕微鏡Ａをパソコンに接続していなくても、取り込んだ合成画像のみの移動で弊社開発の専用測定プログラムソフトをパソコンにインストールすることで、オフライン操作にて画像の測定を行うことができる。更に、前記合成画像を用いることにより、マウス等のスクロールバーなどを利用し拡大や縮小を行ったり、画像データ自体をマウスで選択しながら移動させたり、画像データを回転させたりすることもできるので、測定者が見やすい大きさや測定しやすい位置に合成画像を表示させて正確な測定することができる測定顕微鏡Ａである。
【００６２】
また、複数個の被検物をステージ１に置載して自動撮影を実施する場合、すべての撮影が完了するまでには、コンピュータ３の能力によっても異なるが、数分と時間がかかってしまうため問題が発生してしまう。これを解決する機能として、本発明の測定顕微鏡Ａには撮り終わった画像から順次測定を開始できる機能を有している。ステージ１を可動させながら前記被検物撮影カメラ２で順次左上から右に向って撮影を行うと、前記被検物撮影カメラ２で撮影している映像がモニタ６に写し出された場合、前記モニタ６内に写し出されている映像も同じように動いている映像が映し出されることになる。本発明の測定顕微鏡Ａは、ステージ１を可動させながら前記被検物撮影カメラ２で順次撮影を実施していくステージ１の可動スピードとモニタ６などに写し出される周辺撮影カメラや被検物撮影カメラ２の撮影前の映像や周辺撮影カメラ４及び被検物撮影カメラ２で映し出された画像を同スピードで動かしながら、ステージ１の可動方向とモニタ６などに写し出される周辺撮影カメラ４や被検物撮影カメラ２の撮影前の映像や周辺撮影カメラ４及び前記被検物撮影カメラ２の可動方向とを同方向に動かす処理をコンピュータ３で行うプログラムに組み込んでいる。
【００６３】
よって、図１５に示すように、前記被検物Ｂを順次認識して前記被検物撮影カメラ２で順次撮影を行いながら隣接した画像の合成処理を行うなどステージ１が可動している最中でも、モニタ６などに写し出される周辺撮影カメラ４や被検物撮影カメラ２の撮影前の映像や周辺撮影カメラ４及び被検物撮影カメラ２で撮影した画像を静止しているかのようにモニタ６上に表示させることができる。また、先に撮影が終わった前記被検物Ｂ、例えば図１６内の太線の破線で囲った位置を図１７のように移動して画像の拡大や縮小などの操作をしながらマウスなどで測定したい箇所を選択して測定を開始していくことができる。よって、画像の撮影がすべて撮り終わらない状態であっても、撮影が終わったところから、測定者は測定作業を順次実施していくことができる。
【００６４】
更に、本発明の測定顕微鏡Ａは、同じ被検物Ｂをステージ１上に複数個設置して、順次自動測定を開始する機能を有している。予め準備した被検物Ｂようの形状データをコンピュータ３に認識させることで、類似する形状のものをコンピュータ３が識別して順次測定を実施していくものであり、形状測定に慣れていない人など、誰でもが簡単に測定操作が出来てしまう測定顕微鏡Ａを提供することができる。
【００６５】
また、前記被検物Ｂの外径や内径などの形状の位置をコンピュータ３が認識してトレースすることで、ＤＸＦ形式で書き出す機能を有している。これにより、製品の形状を設計するために使用するＣＡＤソフトなどで、ＤＸＦ形式で読み込み可能なソフトを使用すれば、形状をトレースしたデータを製品設計に活用することができる測定顕微鏡Ａを提供することができる。
【００６６】
更に、ＤＸＦ形式のデータをコンピュータ３に読み込んで、前記被検物Ｂの画像と透過させ差異の確認ができる機能を有している。これにより、製品の形状設計などをＤＸＦ形式で書き出しできるＣＡＤソフトなどを使用して行ったデータを、本発明の測定顕微鏡Ａに使用されるコンピュータ３に読み込み、各々の画像を透過させることで、形状の違いを判別することができるので、例えば、形状による不具合品を写し出される映像と比較して判定することも可能な測定顕微鏡Ａを提供することができる。
【００６７】
また、コンピュータ３内に取り込んだ前記合成画像は、データとしての受け渡しが可能であるので、例えば、測定サンプルが手持ちに届いていない場合や本発明の測定顕微鏡Ａが設置されていない環境の場所にいるものでも、本発明の測定顕微鏡Ａを使用して取り込まれた合成画像データを通信回線などを利用して受信することで、本発明の測定顕微鏡Ａを操作するソフトウエアをパソコンヘインストールするだけで、測定作業を実施してしまえる機能も有している。
【００６８】
更に、本発明の測定顕微鏡Ａは、より安価で持ち運びが可能なサイズのものを提供できることを課題としてあげ、１００分の１ｍｍ単位の形状測定を可能にするために発明したものである。よって、前記被検物Ｂの測定できるサイズは、幅３００ｍｍ×高さ３００ｍｍ以下の被検物であることが望ましいが、それ以上のサイズの被検物Ｂを測定する場合でも、被検物撮影カメラ２と周辺撮影カメラ４の精度を上げ、テレセントリックレンズなどの光学系レンズ５の中で視野サイズが広い光学系レンズ５へ付け替えることで、幅３００ｍｍ×高さ３００ｍｍ以上の被検物Ｂの測定や、１００分の１ｍｍ単位以上の測定も可能にすることができるものである。尚、本発明の測定顕微鏡Ａの一例を紹介しただけであるので、この仕様に限定されるものではない。
【符号の説明】
【００６９】
１      ステージ
１ａ    ステージ駆動部
２      被検物撮影カメラ
２ａ    レンズ装着部
２ｂ    光軸
２ｃ    撮影範囲
２ｄ    歪曲がない範囲
３      コンピュータ
４      周辺撮影カメラ
４ａ    光軸
４ｂ    撮影範囲
４ｃ    撮影レンズ
５      光学系レンズ
６      モニタ
７      昇降機
８      レンズボックス
８ａ    ビームスプリッタ
９      交点
Ａ      測定顕微鏡
Ｂ      被検物
Ｂａ    高画質で撮影した被検物
Ｂｂ    低画質で撮影した被検物
Ｘ      Ｘ方向
Ｙ      Ｙ方向
Ｚ      Ｚ方向
【図１】
2011138096.tif 000003
【図２】
2011138096.tif 000004
【図３】
2011138096.tif 000005
【図４】
2011138096.tif 000006
【図５】
2011138096.tif 000007
【図６】
2011138096.tif 000008
【図７】
2011138096.tif 000009
【図８】
2011138096.tif 000010
【図９】
2011138096.tif 000011
【図１０】
2011138096.tif 000012
【図１１】
2011138096.tif 000013
【図１２】
2011138096.tif 000014
【図１３】
2011138096.tif 000015
【図１４】
2011138096.tif 000016
【図１５】
2011138096.tif 000017
【図１６】
2011138096.tif 000018
【図１７】
2011138096.tif 000019
【手続補正書】
【提出日】平成22年7月23日(2010.7.23)
【手続補正１】
【補正対象書類名】明細書
【補正対象項目名】００１１
【補正方法】変更
【補正の内容】
【００１１】
本発明は、ステージ駆動部によりステージを移動させて前記被検物撮影カメラでステージの範囲を均等に移動しながらステージ全体を細かく撮影した画像において、前記画像毎にステージの撮影位置を把握するための数値を割りふり、前記画像同士を結合し合成画像にした状態で前記画像内の指定したドット位置を原点とし、次の指定したドット位置の距離を算出する測定顕微鏡である。
【手続補正２】
【補正対象書類名】明細書
【補正対象項目名】００２８
【補正方法】変更
【補正の内容】
【００２８】
更に、本発明は、ステージ駆動部によりステージを移動させて前記被検物撮影カメラでステージの範囲を均等に移動しながらステージ全体を細かく撮影した画像において、前記画像毎にステージの撮影位置を把握するための数値を割りふり、前記画像同士を結合し合成画像にした状態で前記画像内の指定したドット位置を原点とし、次の指定したドット位置の距離を算出する測定顕微鏡であるので、撮影した画像に写し出される前記被検物の外径寸法や内径寸法を測定したい時は、前記被検物が写った画像をマウス等でクリックし位置指定していくことで、容易に形状測定が出来てしまう測定顕微鏡を提供することができる。
【手続補正３】
【補正対象書類名】明細書
【補正対象項目名】００４５
【補正方法】変更
【補正の内容】
【００４５】
図１乃至図５に示すように、本発明の測定顕微鏡Ａは入力される移動指令に基づき直交するＸＹ方向の２方向に移動させるステージ駆動部１ａにより可動が制御されるステージ１を有している。ＸＹ方向とは、ステージ１が左右水平方向へ稼働することをＸ方向Ｘといい、ステージ１が上下方向へ稼働することをＹ方向Ｙという。また、前記ステージ１上に載置された被検物Ｂの全体または一部を撮影できる高さへ被検物撮影カメラ２を設置し、前記被検物撮影カメラ２のレンズ装着部２ａの上から被せるようにテレセントリックレンズなどの光学系レンズ５を装着する。前記被検物撮影カメラ２は４８万画素以上の画素数をもつカメラを使用するのが望ましい。更に、前記被検物撮影カメラ２と隣接する位置に前記被検物Ｂ周辺を含んで撮影する周辺撮影カメラ４の設置を行う。前記周辺撮影カメラ４の光軸４ａの角度４５度の範囲内に被検物Ｂの撮影ポイントを含むようにすればよい。
【手続補正４】
【補正対象書類名】明細書
【補正対象項目名】００４６
【補正方法】変更
【補正の内容】
【００４６】
例えば、図３に示すように前記周辺撮影カメラ４が被検物Ｂ方向へ設置角度を傾けずに前記周辺撮影カメラ４の光軸４ａの角度４５度の範囲内に被検物Ｂの撮影ポイントがあれば、設置角度をつけずに、前記被検物撮影カメラ２の焦点が前記被検物Ｂと合致する光軸２ｂと前記周辺撮影カメラ４の焦点が前記被検物Ｂと合致する光軸４ａが並行になるように前記周辺撮影カメラ４を横並びに設置してもよく、撮影する範囲が狭くなるようであれば、図４に示すように、前記被検物Ｂの測定したい部分に撮影ポイントを合わせ、前記被検物撮影カメラ２の焦点が前記被検物Ｂと合致する光軸２ｂと前記周辺撮影カメラ４の焦点が前記被検物Ｂと合致する光軸４ａが交差する交点９の角度が４５度以内に入るように前記被検物Ｂとその周辺が映し出される角度を見つけて設定を行うとよい。光軸２ｂ、４ａとは、レンズの中心を通る線のことをいう。
【手続補正５】
【補正対象書類名】明細書
【補正対象項目名】００５０
【補正方法】変更
【補正の内容】
【００５０】
また、前記周辺撮影カメラ４で撮影した映像と被検物撮影カメラ２で撮影した映像を合成する場合、２つ以上の異なるカメラを同位置に設置して撮影することはできないため、その撮影場所の位置相違により双方の映像にズレが生じてしまうが、合成による映像のズレについては、パソコンなどのコンピュータ３によりソフト上で補正をかける手段を行うことでズレを解消することができる。更に、図３に示すように周辺撮影カメラ４で撮影した映像で、ステージ１上以外で映し出される周りの映像については、パソコンなどのコンピュータ３によりソフト上で補正をかける手段を行うことで不要に映っている部分はカットした状態で映像の合成をかけることができる。よって、前記被検物Ｂの寸法を測定したい個所を被検物撮影カメラ２で撮影することで、高画質で撮影した被検物Ｂａを映し出すことができ、正確な測定位置を指定することができる。また、それ以外の被検物Ｂ部分は、前記周辺撮影カメラ４で映し出された映像を映し出すことになるので、４８万画素ぐらいの比較的低画質で撮影した被検物Ｂｂを映し出すことができるので、例えば、前記被検物Ｂを複数個ステージ１の上に並べてマウスなどで選択したものを順次測定していく場合、どの被検物Ｂを測定しているか分からなくなる問題がなくなる。更に、被検物Ｂの測定対象箇所がズームアップされればされるほど、被検物Ｂのピンポイントは拡大表示されてズームレンズの視野が狭くなってしまうが、周辺撮影カメラ４により周りも映し出されているため、全体のどの部分を測定しているのかもひと目で把握することができる。よって、高精度と広視野という両特徴を併せ持った測定顕微鏡Ａを提供することができる。
【手続補正６】
【補正対象書類名】明細書
【補正対象項目名】００５３
【補正方法】変更
【補正の内容】
【００５３】
また、本発明の測定顕微鏡Ａは図１及び図２に示すように、ステージ駆動部１ａによりステージ１をＸＹ方向へ移動させて前記被検物撮影カメラ２でステージ１の範囲を均等に移動しながらステージ１全体を細かく撮影していくことができる。更に、本発明の測定顕微鏡Ａの前記被検物撮影カメラ２に用いられるテレセントリックレンズの表示できる範囲を３２ｍｍ×２４ｍｍのものにした場合、テレセントリックレンズの特性上、表示ポイントの中心から外側に離れていくにつれて写し出される映像が図１０に示すように円曲形状に歪んでしてしまう現状が発生してしまう。前記被検物撮影カメラ２を用いて撮影される高画質で撮影した被検物Ｂａが写し出された画像データが円曲に歪んでしまう画像データを使用すると、指定する測定位置がずれている状態で指定してしまうことになるので、正確な測定ができない。そこで、例えば、テレセントリックレンズの表示できる範囲を３２ｍｍ×２４ｍｍのものを使用する場合、図１１に示すようにレンズによる歪の発生が起こっていない前記テレセントリックレンズの視野範囲より中心に向って内側であり、前記視野範囲の中心位置を中心点として周囲１６ｍｍ×１２ｍｍの図１１の太線の破線範囲に示す歪曲がない範囲２ｄの画像データを高画質で撮影した被検物Ｂａを写し出す範囲として使用することで、正確な測定を行う測定顕微鏡Ａを提供することができる。尚、レンズの歪を補正するプログラムを処理部に組み込むことで、歪の解消を行っても良い。
【手続補正７】
【補正対象書類名】明細書
【補正対象項目名】００６７
【補正方法】変更
【補正の内容】
【００６７】
また、コンピュータ３内に取り込んだ前記合成画像は、データとしての受け渡しが可能であるので、例えば、測定顕微鏡Ａが接続されたパソコンを使用することができない環境の人であっても、前記合成画像データを通信回線などを利用して受け取り、本発明の測定顕微鏡Ａを操作するために開発された専用のソフトウエアをパソコンにインストールしておくだけで、測定顕微鏡Ａがパソコンにつながっていない状態であっても、前記合成画像データのみを用いて測定作業を実施してしまう機能を有している。
【手続補正８】
【補正対象書類名】特許請求の範囲
【補正対象項目名】請求項３
【補正方法】変更
【補正の内容】
【請求項３】
ステージ駆動部によりステージを移動させて前記被検物撮影カメラでステージの範囲を均等に移動しながらステージ全体を細かく撮影した画像において、前記画像毎にステージの撮影位置を把握するための数値を割りふり、前記画像同士を結合し合成画像にした状態で前記画像内の指定したドット位置を原点とし、次の指定したドット位置の距離を算出することを特徴とする請求項１または請求項２に記載の測定顕微鏡。
【手続補正９】
【補正対象書類名】特許請求の範囲
【補正対象項目名】請求項４
【補正方法】変更
【補正の内容】
【請求項４】
周辺撮影カメラで撮影した被検物が写し出された画像の中の前記被検物とステージの色調明度差を読み取って前記被検物の設置場所を認識し、前記被検物撮影カメラの撮影場所をステージ駆動部によりステージを移動させて前記被検物を前記被検物撮影カメラで真上から撮影したことを特徴とする請求項１乃至請求項３のいずれか１項に記載の測定顕微鏡。
【手続補正１０】
【補正対象書類名】図面
【補正対象項目名】図５
【補正方法】変更
【補正の内容】
【図５】
2011138096.tif 000020